(57)【特許請求の範囲】
【請求項１】
空間の明るさを検知可能なセンサによって検知される明るさに関する検知情報を受信する受信部と；
前記空間を照明する照明機器が有する発光色の異なる光源毎の調光度を明るさに関する情報に対応付けて記憶する記憶部から、前記受信部によって受信された検知情報に対応する各光源の調光度を取得する取得部と；
前記取得部によって取得された各光源の調光度に基づいて、前記照明機器が有する各光源をそれぞれ制御する制御部と；
を具備することを特徴とする制御装置。
【請求項２】
前記取得部は、
前記空間を照明する照明機器が有する発光色の異なる光源毎のフェード時間を明るさに関する情報に対応付けて記憶する記憶部から、前記受信部によって受信された検知情報に対応する各光源のフェード時間を取得し、
前記制御部は、
前記取得部によって取得されたフェード時間をかけて前記各光源を前記調光度にそれぞれ制御する
ことを特徴とする請求項１に記載の制御装置。
【請求項３】
前記取得部は、
隣り合う範囲が一部重複する明るさの複数の範囲に対応付けて前記光源毎の調光度を記憶する記憶部から、前記受信部によって受信された検知情報に対応する各光源の調光度を、前回受信した検知情報が属する明るさの範囲に基づいて取得し、
前記制御部は、
前記取得部によって取得された各光源の調光度に基づいて、前記照明機器が有する各光源をそれぞれ制御する
ことを特徴とする請求項１または２に記載の制御装置。
【請求項４】
制御装置が実行する照明制御方法であって、
空間の明るさを検知可能なセンサによって検知される明るさに関する検知情報を受信する受信工程と；
前記空間を照明する照明機器が有する発光色の異なる光源毎の調光度を明るさに関する情報に対応付けて記憶する記憶工程から、前記受信工程によって受信された検知情報に対応する各光源の調光度を取得する取得工程と；
前記取得工程によって取得された各光源の調光度に基づいて、前記照明機器が有する各光源をそれぞれ制御する制御工程と；
を実行することを特徴とする照明制御方法。
【発明の詳細な説明】
【技術分野】
【０００１】
本発明は、制御装置及び照明制御方法に関する。
【背景技術】
【０００２】
従来、オフィス等の空間では、複数の照明機器が天井に取り付けられている。そして、複数の照明機器を制御装置と接続し、制御装置が各照明機器を制御する照明制御システムが導入されている。このような照明制御システムでは、センサによって検出される照度が基準値になるように照明機器が発する光を調整して制御する。
【先行技術文献】
【特許文献】
【０００３】
【特許文献１】国際公開第２０１４／２０３５３７号
【特許文献２】特開２００４−１７９１６８号公報
【発明の概要】
【発明が解決しようとする課題】
【０００４】
本発明が解決しようとする課題は、照明機器の色温度を制御することができる制御装置及び照明制御方法を提供することである。
【課題を解決するための手段】
【０００５】
実施形態に係る制御装置は、センサによって検知される明るさに関する検知情報を受信する受信部と、明るさに関する情報に対応付けて照明機器が有する発光色の異なる光源毎の調光度を記憶する記憶部から、前記受信部によって受信された検知情報に対応する各光源の調光度を取得する取得部と、前記取得部によって取得された各光源の調光度に基づいて、前記照明機器が有する各光源をそれぞれ制御する制御部とを具備する。
【図面の簡単な説明】
【０００６】
【図１】図１は、実施形態に係る照明制御システムの構成例を示す図である。
【図２】図２は、実施形態に係るセンサの構成例を示す図である。
【図３】図３は、実施形態に係るコントローラの構成例を示す図である。
【図４】図４は、実施形態に係るコントローラの自グループ情報記憶部の一例を示す図である。
【図５】図５は、実施形態に係るコントローラの調光度情報記憶部の一例を示す図である。
【図６】図６は、段調光制御動作を説明するための説明図である。
【図７】図７は、調光度比とフェード時間の関係を説明するための説明図である。
【図８】図８は、実施形態に係る照明制御装置の構成例を示す図である。
【図９】図９は、実施形態に係る照明機器の構成例を示す図である。
【図１０】図１０は、実施形態に係る照明制御システムによる処理手順を示すシーケンス図である。
【図１１】図１１は、登録番号と照度値の対応関係を説明するための説明図である。
【発明を実施するための形態】
【０００７】
以下で説明する実施形態に係るコントローラ２０（制御装置の一例に相当）は、受信部２６と、取得部２７と、照明制御部２８とを有する。受信部２６は、センサ１０によって検知される明るさに関する検知情報を受信する。取得部２７は、明るさに関する情報に対応付けて照明機器３０が有する発光色の異なる光源毎の調光度を記憶する記憶部から、受信部２６によって受信された検知情報に対応する各光源の調光度を取得する。照明制御部２８は、取得部２７によって取得された各光源の調光度に基づいて、照明機器３０が有する各光源をそれぞれ制御する。
【０００８】
また、以下で説明する実施形態に係るコントローラ２０において、取得部２７は、明るさに関する情報に対応付けて照明機器３０が有する発光色の異なる光源毎のフェード時間を記憶する記憶部から、受信部２６によって受信された検知情報に対応する各光源のフェード時間を取得してもよい。照明制御部２８は、取得部２７によって取得されたフェード時間をかけて各光源を調光度にそれぞれ制御してもよい。
【０００９】
また、以下で説明する実施形態に係るコントローラ２０において、取得部２７は、隣り合う範囲が一部重複する明るさの複数の範囲に対応付けて光源毎の調光度を記憶する記憶部から、受信部２６によって受信された検知情報に対応する各光源の調光度を、受信した検知情報が属する明るさの範囲に基づいて取得してもよい。照明制御部２８は、取得部２７によって取得された各光源の調光度に基づいて、照明機器３０が有する各光源をそれぞれ制御してもよい。
【００１０】
以下、図面を参照して、実施形態に係る制御装置及び照明制御方法を説明する。実施形態において同一の機能を有する構成には同一の符号を付し、重複する説明は省略する。なお、以下の実施形態で説明する制御装置及び照明制御方法は、一例を示すに過ぎず、実施形態を限定するものではない。例えば、以下の実施形態では、照明制御システムは、照明機器以外にも、任意の装置の制御にも適用することができる。なお、以下の各実施形態は、矛盾しない範囲内で適宜組みあわせてもよい。
【００１１】
［実施形態］
（実施形態に係る照明制御システムの構成）
図１は、実施形態に係る照明制御システム１の構成例を示す図である。実施形態に係る照明制御システム１は、複数のセンサ１０−１〜１０−ｎと、コントローラ２０と、複数の照明機器３０−１〜３０−ｎと、ハブ５と、照明制御装置１００とを有する。なお、以下では、センサ１０−１〜１０−ｎ、照明機器３０−１〜３０−ｎをそれぞれ区別する必要がない場合には、これらを総称して「センサ１０」、「照明機器３０」と表記する場合がある。また、照明制御システム１に接続されるセンサ１０、コントローラ２０、照明機器３０、ハブ５および照明制御装置１００の種別や数などは、図１に示す例に限らず任意に設定することができる。
【００１２】
センサ１０と、コントローラ２０と、照明機器３０と、ハブ５と、照明制御装置１００とは、ネットワークを介して通信を行なう。ネットワークの一態様としては、有線や無線によって接続されるＬＡＮ（Local  Area  Network）などの通信網が挙げられる。例えば、センサ１０と、コントローラ２０と、照明機器３０とは、無線通信により接続される。また、例えば、ハブ５と、コントローラ２０と、照明制御装置１００とは、ケーブルを介して接続される。
【００１３】
センサ１０は、明るさに関する情報を検知する。具体的には、センサ１０には、照明制御システム１が制御する空間のうち、かかるセンサ１０が検知可能な範囲の明るさを検知情報として検知する。より具体的には、センサ１０は、光センサが採用される。例えば、センサ１０は、照明機器３０が設置される宅内やオフィス等に設置される。そして、センサ１０は、照明機器３０から発せられる光や外光などによる明るさを示す照度値を検知する。その後、センサ１０は、検知した照度値を検知情報としてコントローラ２０に送信する。
【００１４】
コントローラ２０は、有線または無線によるネットワークによってセンサ１０、照明機器３０および照明制御装置１００と接続され、照明機器３０を制御する制御装置である。具体的には、コントローラ２０は、センサ１０によって検知される検知情報に基づいて照明機器３０を制御する。例えば、コントローラ２０は、検知情報に基づいて照明機器３０の照度や色温度を制御する制御信号を生成し、生成した制御信号を照明機器３０に出力することで照明機器３０を制御する。他の例では、コントローラ２０は、照明制御装置１００から受信した指示情報に従って制御信号を生成し、生成した制御信号を照明機器３０に出力することで照明機器３０を制御する。図１の例では、コントローラ２０は、センサ１０−１〜１０−ｎと、照明機器３０−１〜３０−ｎとグループＧを形成する。このため、コントローラ２０は、センサ１０−１〜１０−ｎによって検知された検知情報を用いてグループＧに属する照明機器３０−１〜３０−ｎを制御する。
【００１５】
照明機器３０は、発光色の異なる複数の光源（例えば、白色の光源と暖色の光源）を有する照明装置である。具体的には、照明機器３０は、発光色の異なる複数の光源と、光源の制御を行なう制御部とを有する。例えば、照明機器３０は、コントローラ２０から受信する制御信号に従って、制御部が光源を制御することで、色温度の変更、点灯、消灯、照度の変更、等を行なう。一例としては、照明機器３０は、照明制御システム１が制御する宅内やオフィス等に設置され、部屋の天井等に取り付けられる。一態様としては、照明機器３０は、ＬＥＤ（Light  Emitting  Diode）等の光源が採用される。
【００１６】
照明制御装置１００は、照明制御システム１の制御を行なう制御装置である。例えば、照明制御装置１００は、照明機器３０を制御する指示情報をコントローラ２０に出力する。一例としては、照明制御装置１００は、ユーザから操作指令を受け付けた場合に、かかる操作指令に対応する指示情報をコントローラ２０に出力する。
【００１７】
ここで、照明機器３０は、白色と暖色の２種類の光源を有する調色器具である。このため、コントローラ２０は、一つの目標照度に対して、２つの色温度を調色制御することが可能である。したがって、照明機器３０が発する光のフィードバック制御を行う場合には、目標照度に対する色温度（例えば、白色と暖色の調光比率）を少なくとも一つ設定する必要がある。しかしながら、同じ色温度を実現するための各光源の調光率の割合は、照明機器３０の種類によって異なるので、コンピュータの処理能力やメモリ容量が高く要求される。さらに、各照明機器３０で同じ色温度を実現するには、機器ごとに対応した設定が必要となるので、作業が煩雑になる。
【００１８】
そこで、実施形態に係るコントローラ２０は、センサ１０によって検知される明るさに関する検知情報（例えば、照度値）の範囲と、照明機器３０が有する発光色の異なる光源毎の調光度とのペアを複数登録したテーブルを参照して照明機器３０を制御する。具体的には、コントローラ２０は、まず、センサ１０によって検知される明るさに関する検知情報を受信する。例えば、コントローラ２０は、検知情報として、センサ１０によって検知された照度値をコントローラ２０から受信する。その後、コントローラ２０は、明るさに関する情報に対応付けて照明機器３０が有する発光色の異なる光源毎の調光度を記憶する記憶部から、受信された照度値に対応する各光源の調光度を取得する。例えば、コントローラ２０は、センサ１０によって検知された照度値に対応する白色の光源の調光度と暖色の光源の調光度とをそれぞれ取得する。そして、コントローラ２０は、取得された各光源の調光度に基づいて、照明機器３０が有する各光源をそれぞれ制御する。例えば、コントローラ２０は、センサ１０によって検知された照度値が属する照度値の範囲を判別し、判別した照度値の範囲に対応付けられた調光度に白色の光源と暖色の光源とをそれぞれ制御する。一例としては、コントローラ２０は、取得した調光度に白色の光源と暖色の光源を制御する制御信号を生成し、生成した制御信号を照明機器３０に送信する。これにより、照明機器３０は、受信した制御信号に従った調光度で白色の光源と暖色の光源とを調光して光を出力する。
【００１９】
このように、照明制御システム１では、コントローラ２０は、センサ１０によって検知される照度値の範囲と照明機器３０が有する発光色の異なる光源毎の調光度とのペアを複数登録したテーブルを参照して照明機器３０を制御するので、照明機器３０の色温度を制御することができる。例えば、コントローラ２０は、発光色の異なる複数の光源を有する調色器具の色温度を簡単な設定で一定に制御することができるので、処理の負荷を軽減することができる。
【００２０】
（実施形態に係る各装置の機能構成）
［センサの構成］
次に、実施形態に係るセンサ１０について説明する。図２は、実施形態に係るセンサ１０の構成例を示す図である。図２に示すように、実施形態に係るセンサ１０は、検知部１１と、通信部１２と、制御部１３とを有する。
【００２１】
検知部１１は、明るさに関する情報を検知する。具体的には、検知部１１は、明るさに関する情報として、照度値を検知する。例えば、検知部１１には、光センサが採用される。一例としては、検知部１１は、所定の間隔で、照明機器３０から発せられる光や窓から入る外光などによる明るさを示す照度値を検知する。
【００２２】
通信部１２は、他の装置との間で通信制御を行なうインターフェイスである。具体的には、通信部１２は、ネットワークを介して、コントローラ２０との間で各種の情報をやり取りする通信を行なう。例えば、通信部１２は、センサ１０によって検知された明るさに関する検知情報（例えば、照度値）をコントローラ２０に送信する無線通信を行なう。
【００２３】
制御部１３は、センサ１０を制御するデバイスである。制御部１３としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１３は、各種の処理手順を規定したプログラムや制御データを格納するための内部メモリを有し、これらによって種々の処理を実行する。制御部１３は、各種のプログラムが動作することにより各種の処理部として機能する。具体的には、制御部１３は、各種の情報を送信する制御を行なう。例えば、制御部１３は、検知部１１によって検知された明るさに関する検知情報を送信する。一例としては、制御部１３は、所定の期間ごとに、検知部１１によって検知された照度値を示す検知情報を無線通信によりコントローラ２０に送信する。
【００２４】
［コントローラの構成］
次に、実施形態に係るコントローラ２０について説明する。図３は、実施形態に係るコントローラ２０の構成例を示す図である。図３に示すように、実施形態に係るコントローラ２０は、通信部２１と、記憶部２２と、制御部２５とを有する。
【００２５】
通信部２１は、他の装置との間で通信制御を行なうインターフェイスである。具体的には、通信部２１は、ネットワークを介して、センサ１０や照明機器３０、照明制御装置１００との間で各種の情報をやり取りする通信を行なう。例えば、通信部２１は、センサ１０から明るさに関する検知情報を受信する通信を行なう。他の例では、通信部２１は、照明機器３０に制御信号を送信する通信を行なう。他の例では、通信部２１は、照明制御装置１００から指示情報を受信する通信を行なう。
【００２６】
記憶部２２は、フラッシュメモリなどの半導体メモリ素子などの記憶装置である。なお、記憶部２２は、ＲＡＭ（Random  Access  Memory）、フラッシュメモリ、ＮＶＳＲＡＭ（Non  Volatile  Static  Random  Access  Memory）などのデータを書き換え可能な半導体メモリであってもよい。
【００２７】
具体的には、記憶部２２は、受信される要求を処理する各種プログラムを記憶する。また、記憶部２２は、制御部２５で実行されるプログラムで用いられる各種データを記憶する。例えば、記憶部２２は、自グループ情報記憶部２３と、調光度情報記憶部２４とを有する。
【００２８】
自グループ情報記憶部２３は、照明制御システム１によって制御される空間に設置された装置が属するグループに関する情報を記憶する。例えば、自グループ情報記憶部２３は、グループに割り当てられたＩＤを、センサ１０、コントローラ２０、照明機器３０と対応付けて記憶する。ここで、図４に、実施形態に係るコントローラ２０の自グループ情報記憶部２３の一例を示す。図４に示すように、自グループ情報記憶部２３は、「システムＩＤ」、「センサ」、「コントローラ」、「照明機器」といった項目を有する。
【００２９】
「システムＩＤ」は、センサ１０、コントローラ２０、照明機器３０を分類するグループを識別する固有の識別子を示す。「システムＩＤ」には、例えば、グループごとに共通のＩＤが記憶される。「センサ」は、「システムＩＤ」によって識別されるグループに属するセンサ１０を識別する固有の識別子を示す。「コントローラ」は、「システムＩＤ」によって識別されるグループに属するコントローラ２０を識別する固有の識別子を示す。「照明機器」は、「システムＩＤ」によって識別されるグループに属する照明機器３０を識別する固有の識別子を示す。
【００３０】
すなわち、図４では、システムＩＤ「Ｇ」のグループＧには、センサ１０−１、コントローラ２０、照明機器３０−１が属する例を示している。なお、図４の例では、各グループに複数のセンサ１０、１つのコントローラ２０、複数の照明機器３０が属する例を示すが、実際には任意の数のセンサ１０、コントローラ２０、照明機器３０が属する。
【００３１】
調光度情報記憶部２４は、照明機器３０が有する光源の調光度に関する情報を記憶する。具体的には、調光度情報記憶部２４は、明るさに関する情報に対応付けて照明機器３０が有する発光色の異なる光源毎の調光度を記憶する。さらに、調光度情報記憶部２４は、明るさに関する情報に対応付けて照明機器が有する発光色の異なる光源毎のフェード時間を記憶する。例えば、調光度情報記憶部２４は、照度の照度値の範囲を、白色の光源の調光度および暖色の光源の調光度と、白色の光源のフェード時間および暖色の光源のフェード時間に対応付けて記憶する。ここで、図５に、実施形態に係るコントローラ２０の調光度情報記憶部２４の一例を示す。図５に示すように、調光度情報記憶部２４は、「登録番号」、「照度値範囲」、「調光度」、「フェード時間」といった項目を有する。
【００３２】
「登録番号」は、照度値の範囲と調光度のペアの登録データを識別する番号を示す。「照度値範囲」は、照度の範囲を示す。具体的には、「照度値範囲」には、照度値の下限閾値と上限閾値とが記憶される。「調光度」は、光源の調光度を示す。例えば、「調光度」には、暖色の光源の調光度と白色の光源の調光度とがそれぞれ記憶される。「フェード時間」は、光源の調光に費やす時間を示す。例えば、「フェード時間」には、暖色の光源のフェード時間と白色の光源のフェード時間とがそれぞれ記憶される。
【００３３】
すなわち、図５では、登録番号「１」の登録データは、下限閾値が「０」で上限閾値が「３２９」の照度値の範囲が、暖色の調光度「９０」および白色の調光度「１００」と暖色のフェード時間「９」および白色のフェード時間「１０」と対応付けられている例を示している。なお、図５では、登録番号「５」の上限閾値「∞」には、例えば「９９９９」が記憶される。
【００３４】
図３に戻り、制御部２５は、コントローラ２０を制御するデバイスである。制御部２５としては、ＣＰＵ、ＭＰＵ等の電子回路や、ＡＳＩＣ、ＦＰＧＡ等の集積回路を採用できる。制御部２５は、各種の処理手順を規定したプログラムや制御データを格納するための内部メモリを有し、これらによって種々の処理を実行する。制御部２５は、各種のプログラムが動作することにより各種の処理部として機能する。例えば、制御部２５は、受信部２６と、取得部２７と、照明制御部２８と、送信部２９とを有する。
【００３５】
受信部２６は、センサ１０や照明制御装置１００から各種の情報を受信する。具体的には、受信部２６は、センサ１０によって送信された明るさに関する検知情報を受信する。例えば、受信部２６は、検知情報として、センサ１０によって検知された照度値を無線通信によりセンサ１０から受信する。他の例では、受信部２６は、照明制御装置１００から指示情報を受信する。
【００３６】
取得部２７は、明るさに関する情報に対応付けて照明機器３０が有する発光色の異なる光源毎の調光度を記憶する記憶部から、受信部２６によって受信された検知情報に対応する各光源の調光度を取得する。具体的には、取得部２７は、調光度情報記憶部２４を参照し、受信部２６によって受信された明るさに関する検知情報に対応する暖色の調光度と白色の調光度とを取得する。例えば、取得部２７は、受信部２６によって受信された検知情報が示す照度値を、調光度情報記憶部２４に記憶された登録データと比較することで対応する暖色の調光度と白色の調光度とを取得する。図５の例では、取得部２７は、受信部２６が照度値「３５０」を示す検知情報を受信した場合に、照度値「３５０」が属する照度値の範囲に対応する暖色の調光度「８０」と白色の調光度「９０」とを取得する。
【００３７】
照明制御部２８は、取得部２７によって取得された各光源の調光度に基づいて、照明機器３０が有する各光源をそれぞれ制御する。具体的には、照明制御部２８は、取得部２７によって取得された調光度に白色の光源と暖色の光源を制御する制御信号を生成し、生成した制御信号をコントローラ２０に送信することで照明機器３０を制御する。一例としては、照明制御部２８は、白色の光源の調光度と暖色の光源の調光度とを変更する制御信号を生成し、生成した制御信号を照明機器３０に送信する。これにより、照明機器３０は、受信した制御信号に従って光を出力するので、照明機器３０が有する白色の光源と暖色の光源との調光を制御することができる。
【００３８】
例えば、照明制御部２８は、所定の間隔で、照明機器３０を制御する。この点について、図６を用いて説明する。図６は、段調光制御動作を説明するための説明図である。図６に示すグラフＬ１のように、照明制御部２８は、例えば制御間隔を３０秒として、３０秒ごとに段階的に光源の調光を制御する。
【００３９】
ここで、照明制御部２８は、光源毎に設定されたフェード時間をかけて各光源をそれぞれ制御する。具体的には、照明制御部２８は、まず、明るさに関する情報に対応付けて照明機器３０が有する発光色の異なる光源毎のフェード時間を記憶する記憶部から、受信部２６によって受信された検知情報に対応する各光源のフェード時間を取得する。例えば、照明制御部２８は、調光度情報記憶部２４を参照し、受信部２６によって受信された検知情報に対応する暖色の調光度と白色の調光度とともに、かかる検知情報に対応する暖色のフェード時間と白色のフェード時間とを取得する。一例としては、照明制御部２８は、受信部２６によって受信された検知情報が示す照度値を、調光度情報記憶部２４に記憶された登録データと比較することで対応する暖色の調光度と白色の調光度とを取得するとともに、かかる照度値に対応する暖色のフェード時間と白色のフェード時間とを取得する。図５の例では、照明制御部２８は、受信部２６が照度値「３５０」を示す検知情報を受信した場合に、照度値「３５０」が属する照度値の範囲に対応する暖色の調光度「８０」と白色の調光度「９０」とともに、暖色のフェード時間「７」と白色のフェード時間「８」とを取得する。そして、照明制御部２８は、取得したフェード時間をかけて各光源を、取得部２７によって取得された調光度にそれぞれ制御する。具体的には、照明制御部２８は、取得した暖色のフェード時間「７」をかけて暖色の光源を暖色の調光度「８０」に制御する。また、照明制御部２８は、取得した白色のフェード時間「８」をかけて白色の光源を白色の調光度「９０」に制御する。
【００４０】
ここで、照明制御部２８は、例えば、白色の光源と暖色の光源とを調光する際に、調光度比を保持しながらフェードすることが望ましい。図７は、調光度比とフェード時間の関係を説明するための説明図である。一例としては、照明制御部２８は、図７に示すように、時間Ｔ１から時間Ｔ２において、暖色の調光度Ｌ２１と白色の調光度Ｌ２２との間の調光度比を３０：２０に保持しながらフェードする。このため、調光度情報記憶部２４は、白色の光源と暖色の光源との間の調光度比を保持するフェード時間が記憶されることが望ましい。具体的には、フェード時間は、現在の調光度（ＰＨ１）から次に制御する際の調光度（ＰＨ２）へ１０秒かけて変化させる時間である。このため、フェード時間は、下記の式（１）によって計算される。
【００４１】
フェード時間［ｓ］＝１０００／｜ＰＨ１−ＰＨ２｜・・・（１）
【００４２】
図３に戻り、送信部２９は、照明機器３０や照明制御装置１００に対して各種の情報を送信する。具体的には、送信部２９は、照明機器３０を制御する制御信号を照明機器３０に送信する。例えば、送信部２９は、照明制御部２８によって生成された制御信号を照明機器３０に送信する。一例としては、送信部２９は、白色の光源の調光度と暖色の光源の調光度とを変更する制御信号を照明機器３０に送信する。
【００４３】
［照明制御装置の構成］
次に、実施形態に係る照明制御装置１００について説明する。図８は、照明制御装置１００の機能的な構成の一例を示す図である。図８に示すように、照明制御装置１００は、通信部１１０と、記憶部１２０と、制御部１３０とを有する。
【００４４】
通信部１１０は、他の装置との間で通信制御を行なうインターフェイスである。例えば、通信部１１０は、ネットワークを介して、照明機器３０を制御する指示情報をコントローラ２０に送信する通信を行なう。また、通信部１１０は、ネットワークを介して、ユーザが利用する端末装置から照明機器３０を制御する指示情報を受信する通信を行なう。
【００４５】
記憶部１２０は、フラッシュメモリなどの半導体メモリ素子、ハードディスク、光ディスクなどの記憶装置である。なお、記憶部１２０は、ＲＡＭ、フラッシュメモリ、ＮＶＳＲＡＭなどのデータを書き換え可能な半導体メモリであってもよい。
【００４６】
具体的には、記憶部１２０は、受信される要求を処理する各種プログラムを記憶する。また、記憶部１２０は、制御部１３０で実行されるプログラムで用いられる各種データを記憶する。
【００４７】
制御部１３０は、照明制御装置１００を制御するデバイスである。制御部１３０としては、ＣＰＵ、ＭＰＵ等の電子回路や、ＡＳＩＣ、ＦＰＧＡ等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。例えば、制御部１３０は、受信部１３１と、照明制御部１３２とを有する。
【００４８】
受信部１３１は、各種の指示情報を受信する。具体的には、受信部１３１は、ユーザが利用する端末装置から照明機器３０を制御する指示情報を受信する。例えば、受信部１３１は、照明機器３０の照度や色温度の変更、点灯、消灯などを指示する指示情報を受信する。
【００４９】
［照明機器の構成］
次に、実施形態に係る照明機器３０について説明する。図９は、実施形態に係る照明機器３０の構成例を示す図である。図９に示すように、実施形態に係る照明機器３０は、光源部３１と、通信部３２と、制御部３３とを有する。
【００５０】
光源部３１は、照明機器３０が有する光源である。具体的には、光源部３１は、発光色の異なる複数の光源として、白色の光源３４と暖色の光源３５とを有する。例えば、白色の光源３４と暖色の光源３５とは、制御部３３の制御に従って、調光度の変更や点灯、消灯、照度の変更などが行われる。一例としては、光源部３１は、ＬＥＤ等の半導体発光素子により実現される。
【００５１】
通信部３２は、他の装置との間で通信制御を行なうインターフェイスである。具体的には、通信部３２は、ネットワークを介して、コントローラ２０との間で各種の情報をやり取りする通信を行なう。例えば、通信部３２は、光源部３１を制御する制御信号をコントローラ２０から受信する通信を行なう。
【００５２】
制御部３３は、照明の制御を行なうデバイスである。具体的には、制御部３３は、通信部３２によって受信された制御信号に従って光源部３１を制御する。より具体的には、制御部３３は、光源部３１の調光度の変更を実行する。例えば、制御部３３は、白色の光源３４の調光度と暖色の光源３５との調光度の調整をそれぞれ行なう。一例としては、制御部３３は、調色器具変換テーブルを用いて取得された調光度に白色の光源３４と暖色の光源３５とを調光して調光度を調整する。一態様としては、制御部３３は、制御信号が示す調光度に白色の光源３４と暖色の光源３５の光の出力を調整する。
【００５３】
［照明制御システムの処理手順］
次に、図１０を用いて、実施形態に係る照明制御システム１による制御処理の流れについて説明する。図１０は、実施形態に係る照明制御システム１による処理手順を示すシーケンス図である。
【００５４】
具体的には、まず、センサ１０は、明るさに関する検知情報を検知する。例えば、センサ１０は、明るさに関する検知情報として、照度値を検知する（ステップＳ１０１）。そして、センサ１０は、検知した照度値をコントローラ２０に送信する（ステップＳ１０２）。これにより、コントローラ２０は、センサ１０によって検知された照度値をセンサ１０から受信する。
【００５５】
続いて、コントローラ２０は、明るさに関する情報に対応付けて照明機器３０が有する発光色の異なる光源毎の調光度を記憶する記憶部から、受信された照度値に対応する各光源の調光度を取得する（ステップＳ１０３）。具体的には、コントローラ２０は、調光度情報記憶部２４を参照し、受信された照度値が属する照度値の範囲に対応する暖色の調光度と白色の調光度とを取得する。
【００５６】
続いて、コントローラ２０は、取得された各光源の調光度に基づいて、照明機器３０が有する各光源をそれぞれ制御する。具体的には、コントローラ２０は、取得された調光度に白色の光源と暖色の光源を制御する制御信号を生成し（ステップＳ１０４）、生成した制御信号を照明機器３０に送信する（ステップＳ１０５）。
【００５７】
これにより、照明機器３０は、コントローラ２０から制御信号を受信する。そして、照明機器３０は、受信した制御信号に従って光を調整する（ステップＳ１０６）。具体的には、照明機器３０は、制御信号が示す調光度に白色の光源３４と暖色の光源３５の光の出力を調整する。
【００５８】
［実施形態の効果］
上述してきたように、実施形態に係るコントローラ２０は、受信部２６と、取得部２７と、照明制御部２８とを有する。受信部２６は、センサ１０によって検知される明るさに関する検知情報を受信する。取得部２７は、明るさに関する情報に対応付けて照明機器３０が有する発光色の異なる光源毎の調光度を記憶する記憶部から、受信部２６によって受信された検知情報に対応する各光源の調光度を取得する。照明制御部２８は、取得部２７によって取得された各光源の調光度に基づいて、照明機器３０が有する各光源をそれぞれ制御する。
【００５９】
これにより、コントローラ２０は、センサ１０によって検知される照度値の範囲と照明機器３０が有する発光色の異なる光源毎の調光度とのペアを複数登録したテーブルを参照して照明機器３０を制御するので、照明機器３０の色温度を制御することができる。例えば、コントローラ２０は、発光色の異なる複数の光源を有する調色器具の色温度を簡単な設定で一定に制御することができるので、処理の負荷を軽減することができる。
【００６０】
また、以下で説明する実施形態に係るコントローラ２０において、取得部２７は、明るさに関する情報に対応付けて照明機器３０が有する発光色の異なる光源毎のフェード時間を記憶する記憶部から、受信部２６によって受信された検知情報に対応する各光源のフェード時間を取得する。照明制御部２８は、取得部２７によって取得されたフェード時間をかけて各光源を調光度にそれぞれ制御する。
【００６１】
これにより、コントローラ２０は、フェード時間をかけて各光源の調光を制御することができるので、所望の色温度を実現することができる。例えば、照明制御部２８は、暖色の光源と白色の光源との間の調光度比を保味しながら所望の色温度にすることができる。
【００６２】
［実施形態の変形例］
（１．ヒステリシス）
上記実施形態では、コントローラ２０は、受信部２６によって受信された検知情報が示す照度値を、調光度情報記憶部２４に記憶された登録データと比較することで対応する暖色の調光度と白色の調光度とを取得する例を示した。ここで、調光度情報記憶部２４は、センサ１０によって検知される明るさの範囲にヒステリシスを持たせて対応する光源毎の調光度を記憶してもよい。
【００６３】
具体的には、調光度情報記憶部２４は、ヒステリシスを持たせるために、照度値の範囲を一部重複させて対応する各光源の調光度を記憶する。例えば、調光度情報記憶部２４は、図５に示すように、登録番号「１」の登録データと登録番号「２」の登録データとの間で照度値「２７０〜３２９」の範囲を重複させて照度値範囲を記憶する。なお、重複する範囲であるヒステリシスは、デフォルト値として任意の値が設定され、個別に評価が行われて調整される。ここで、ヒステリシスは、登録番号ごとに、下限閾値と上限閾値とをそれぞれ個別に設定値が変更される。
【００６４】
コントローラ２０は、隣り合う範囲が一部重複する明るさの複数の範囲に対応付けて光源毎の調光度を記憶する記憶部から、受信部２６によって受信された検知情報に対応する各光源の調光度を、前回受信した検知情報が属する明るさの範囲に基づいて取得する。具体的には、コントローラ２０は、調光度情報記憶部２４から、受信部２６によって受信された照度値に対応する暖色の光源の調光度と白色の光源の調光度とを、前回受信した照度値が属する明るさの範囲に基づいて取得する。
【００６５】
一例としては、コントローラ２０は、センサ１０から受信した照度値が、重複する明るさの範囲に属する場合に、前回の登録番号に対応する調光度を取得する。言い換えると、コントローラ２０は、照度値が重複する明るさの範囲に属する場合に前回と同じ調光度を取得する。この点について、図１１を用いて説明する。図１１は、登録番号と照度値の対応関係を説明するための説明図である。図１１に示すように、今回検知された照度値により決定する登録番号は、前回検知された照度値により決定される登録番号に基づいて決定される。図１１の例では、前回の登録番号が「１」で今回検知された照度値が「２７０」の場合には、今回の登録番号は「１」となる。このため、コントローラ２０は、図５の例では、登録番号「１」に対応する暖色の調光度「９０」と白色の調光度「１００」とを取得する。一方、今回検知された照度値が「２７０」であっても前回の登録番号が「２」である場合には、今回の登録番号は「２」となる。このため、コントローラ２０は、図５の例では、登録番号「２」に対応する暖色の調光度「８０」と白色の調光度「９０」とを取得する。
【００６６】
そして、コントローラ２０は、取得部２７によって取得された各光源の調光度に基づいて、照明機器３０が有する各光源をそれぞれ制御する。例えば、コントローラ２０は、前回の登録番号が「１」で今回検知された照度値が「２７０」の場合には今回の登録番号は「１」なので、暖色の光源を調光度「９０」に、白色の光源を調光度「１００」に制御する。言い換えると、この場合、コントローラ２０は、暖色の光源の調光度と白色の光源の調光度とを変更せず維持する。
【００６７】
他の例では、コントローラ２０は、今回検知された照度値が隣り合う照度値の範囲と一部が重複する明るさの範囲に属さない場合には、今回検知された照度値が属する明るさの範囲に対応する各光源の調光度を取得する。例えば、前回の登録番号が「１」であっても、今回検知された照度値が「３３０」の場合には、今回の登録番号は「２」となる。このため、コントローラ２０は、図５の例では、登録番号「２」に対応する暖色の調光度「８０」と白色の調光度「９０」とを取得する。そして、コントローラ２０は、暖色の光源を調光度「８０」に、白色の光源を調光度「９０」に制御する。言い換えると、この場合、コントローラ２０は、前回の登録番号が「１」で今回の登録番号は「２」なので、暖色の光源の調光度と白色の光源の調光度とを維持せず変更する。
【００６８】
このように、変形例に係るコントローラ２０は、隣り合う範囲が一部重複する明るさの複数の範囲に対応付けて光源毎の調光度を記憶する記憶部から、受信部２６によって受信された検知情報に対応する各光源の調光度を、前回受信した検知情報が属する明るさの範囲に基づいて取得する。また、コントローラ２０は、取得部２７によって取得された各光源の調光度に基づいて、照明機器３０が有する各光源をそれぞれ制御する。
【００６９】
これにより、コントローラ２０は、照度値の範囲にヒステリシスを持たせるので、調光度の変更が頻繁に起きることを防ぐことができる。例えば、コントローラ２０は、前回の照度値に基づいて各光源の調光度を取得するので、照度値が重複する明るさの範囲に属する場合には前回の登録番号に対応する調光度を取得することができる。このため、コントローラ２０は、照度値が重複する明るさの範囲に属する場合に調光度を維持して変更しないようにすることができる。
【００７０】
（２．照明制御装置）
上記実施形態では、コントローラ２０が、センサ１０によって検知される明るさに関する検知情報に対応する各光源の調光度を取得し、取得した各光源の調光度に基づいて照明機器３０が有する各光源をそれぞれ制御する例を示した。ここで、かかる制御を実行する処理は、コントローラ２０に限らず、照明制御装置１００によって実行されてもよい。この場合、照明制御装置１００は、コントローラ２０が有する受信部２６と、取得部２７と、照明制御部２８とに相当する機能部と、調光度情報記憶部２４とを有する。そして、照明制御装置１００は、まず、センサ１０によって検知される明るさに関する検知情報をコントローラ２０から受信する。続いて、照明制御装置１００は、明るさに関する情報に対応付けて照明機器が有する発光色の異なる光源毎の調光度を記憶する記憶部から、受信された検知情報に対応する各光源の調光度を取得する。そして、照明制御装置１００は、取得された各光源の調光度に基づいて、照明機器３０が有する各光源をそれぞれ制御する。例えば、照明制御装置１００は、取得された各光源の調光度に変更する指示情報をコントローラ２０に送信する。これにより、コントローラ２０は、指示情報を照明制御装置１００から受信する。そして、コントローラ２０は、受信した指示情報に従って調光度を変更する制御信号を生成し、生成した制御信号を照明機器３０に送信する。これにより、照明機器３０は、制御信号に従って各光源の調光度を変更するので、色温度を制御することができる。
【００７１】
（３．制御信号）
上記変形例では、コントローラ２０が制御信号を生成し、生成した制御信号を照明機器３０に送信する例を示した。ここで、制御信号は、コントローラ２０に限らず、照明制御装置１００によって生成されてもよい。この場合、照明制御装置１００は、例えば、照明機器３０を制御する制御信号を生成し、生成した制御信号をコントローラ２０に出力する。そして、コントローラ２０は、受信した制御信号を照明機器３０に送信する。これにより、照明機器３０は、制御信号をコントローラ２０から受信する。そして、照明機器３０は、受信した制御信号に従って各光源を調整する。
【００７２】
（４．調光度情報記憶部）
上記実施形態や変形例では、コントローラ２０または照明制御装置１００が調光度情報記憶部２４を有する例を示したが、コントローラ２０または照明制御装置１００に限らず他の装置が調光度情報記憶部２４を有してもよい。この場合、例えば、コントローラ２０または照明制御装置１００は、例えば、調光度情報記憶部２４を有する他の装置にアクセスすることで、センサ１０によって検知された検知情報に対応する各光源の調光度を取得する。
【００７３】
［その他］
上記実施形態では、照明機器３０は、発光色の異なる複数の光源として、白色の光源と暖色の光源とを有する例を示した。ここで、照明機器３０は、白色の光源や暖色の光源に限らず、各種の色の光源を有してもよい。
【００７４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７５】
１  照明制御システム
５  ハブ
１０  センサ
２０  コントローラ
２６  受信部
２７  取得部
２８  照明制御部
３０  照明機器
１００  照明制御装置
【図１】
0006648456.tif 000002
【図２】
0006648456.tif 000003
【図３】
0006648456.tif 000004
【図４】
0006648456.tif 000005
【図５】
0006648456.tif 000006
【図６】
0006648456.tif 000007
【図７】
0006648456.tif 000008
【図８】
0006648456.tif 000009
【図９】
0006648456.tif 000010
【図１０】
0006648456.tif 000011
【図１１】
0006648456.tif 000012